(57)【特許請求の範囲】
【請求項１】
片側を支点にして上方へ回動自在に取付け、上方回動によりビートを放出するようにしたビートタンクの上部開放部に、回転揚送機とビートタンク開放口を連絡し、基端軸支部を中心にして上下回動自在に配設された投入コンベアのコンベアフレーム先端を臨ませ、ビートタンクの上下回動に伴ってコンベアフレームの先端部がビートタンクの後部外面に摺接するようになされたビートハーベスタにおいて、コンベアフレームの先端付近に、ビートタンク前記後部外面との摩擦で転動する回転部材を取付けたことを特徴とするビートハーベスタ
【請求項２】
回転部材が、回転方向をビートタンクとの摺接円軌道の接線方向に向けて取付けたローラであることを特徴とする請求項１記載のビートハーベスタ
【請求項３】
回転部材と接触するビートタンクの回転部材転動面にガイドプレートを設けたことを特徴とする請求項１又は２記載のビートハーベスタ
【発明の詳細な説明】
【００１】
【発明の属する技術分野】
本発明はトラクタなどで牽引しながらビートを収穫するビートハーベスタに関し、詳細には、機台上で上下回動するビートタンクと投入コンベアフレームの摺接手段を改良したビートハーベスタに関する。
【００２】
【発明の技術的背景】
図３に示すように、ビートハーベスタ１は機台にビートタンク２を搭載し、掘り取り機３で掘り起こしたビートをロッドコンベア４、回転揚送機５、投入コンベア６などの搬送手段でビートタンク２に送るようになっている。ビートタンク２の上部は開放されており、投入コンベアのコンベアフレーム８は上下に揺動可能にしてビートタンク２の上部開放口７に臨むようになっている。
【００３】
他方、ビートタンク２は、上部片側を支点にして上方（図の矢印Ａ）へ回動させることができるようにして搭載されており、ビートを排出するときは、ビートタンク２を上方へ回動して反転させ、反転した上部開放口からビートハーベスタ１の側方へ放出する。
【００４】
【発明が解決しようとする課題】
上記の構造により、ビートタンク２を上方へ回動させるときは、ビートタンク２の上部開放口７の縁辺でコンベアフレーム８が矢印Ｂのように上方に回動されるが、コンベアフレーム８の先端がビートタンク２の上部開放口７から外れるとコンベアフレーム８の先端部はビートタンク２の外面と摺接することになる。
この場合、ビートタンク２は補強梁で必ずしも平坦面ではないため、上下回動の際にコンベアフレーム８とタンク外面の摺接面が干渉し、円滑な回動ができなくなる。特に、ビートタンク２の下方回動時はコンベアフレーム８が支え棒になってタンクの下降を止めたり、また、コンベアフレーム８が上方からの打撃を受けて、コンベアフレーム８の本体や軸着部を損傷させてしまうこともあった。
【００５】
従って、本発明の目的は、ビートタンクの上下回動の際にコンベアフレームがタンク外面にスムーズに追従するビートハーベスタを提供することにある。
【００６】
【課題を解決するための手段】
上記目的を達成するために、本発明は、片側を支点にして上方へ回動自在に取付け、上方回動によりビートを放出するようにしたビートタンクの上部開放部に、回転揚送機とビートタンク開放口を連絡し、基端軸支部を中心にして上下回動自在に配設された投入コンベアのコンベアフレーム先端を臨ませ、ビートタンクの上下回動に伴ってコンベアフレームの先端部がビートタンクの後部外面に摺接するようになされたビートハーベスタにおいて、コンベアフレームの先端付近に、ビートタンク前記後部外面との摩擦で転動する回転部材を取付けたことを特徴とする。
【００７】
回転部材は、好ましくは、回転方向をビートタンクとの摺接円軌道の接線方向に向けて取付けたローラで構成する。
【００８】
回転部材と接触するビートタンクの回転部材転動面にガイドプレートを設けて平坦にしてもよい。
【００９】
【発明の実施の形態】
以下、本発明の実施例を添付の図面に基づいて説明する。
図１乃至図２は本発明の実施例を示すもので、同一符号は図３の部材と共通である。
ビートハーベスタ１は図３に示すように、上部に開放口７を有するホッパー形のビートタンク２がビートハーベスタ１の機台上に搭載されている。ビートタンク２の後方には回転揚送機５とビートタンク開放口７を連絡する投入コンベア６が軸支部９を中心として矢印Ｂのように上下回動自在に配設されている。通常の収穫時は投入コンベア６の先端及びこれと一体のコンベアフレーム８が、ビートタンク２の上部開放口７に臨み、掘り取り機３で掘り起こしたビートをロッドコンベア４、回転揚送機５を介して受け取り、ビートタンク２内に投入するように配置されている。
【０１０】
図１に示すように、ビートタンク２は前後の片側上部が、機台縦枠１０に軸支部１１を介して回動自在に支持されているとともに、機台から延びた油圧シリンダ１２により前記軸支部１１を支点にして上、下に回動するようになっている。
【０１１】
従って、ビートタンク２は油圧シリンダ１２の伸長ストロークで上方へ回動するときは、図３のようにコンベアフレーム８に摺接して投入コンベア６を上方の仮想線位置に起こしながら上方へ回動し、図１のようにビートタンク２を反転させてビートを放出するとともに、油圧シリンダ１２の短縮ストロークでビートタンク２を下方へ回動させ、仮想線で示す元の位置に復帰する。
【０１２】
このため、図１のように、コンベアフレーム８の先端部は、ビートタンク２の上方回動時に上部開放口７から外れるとビートタンク２の後部外面と摺接し、ビートタンク２の下方回動時は上部開放口７に至るまで前記後部外面と摺接する。
【０１３】
コンベアフレーム８が摺接するビートタンク２の後部外面には多数のタンクフレーム１３が縦横に設けられ、凹凸面を形成しているため、コンベアフレーム８の先端を橇状に湾曲させたとしても引掛かりが生じ易く、また、摩耗や騒音が生じる。
【０１４】
そこで、本発明は、ビートタンク２の外面に対向するコンベアフレーム８の先端付近に、該外面との摩擦で転動する回転部材１４を設け、コンベアフレーム８とビートタンク２の外面が円滑に係合するようにしてある。
【０１５】
回転部材１４は図では軸を中心にして回転するローラーを例示しているが、球状の回転子でもよい。
これらの回転部材１４は、回転軸の先端がビートタンク２の軸支部１１の軸に対して直角に向き、回転部材１４の回転方向がビートタンク２との摺接円軌道の接線方向に向くように配置する。
【０１６】
コンベアフレーム８の回転部材１４が転動するビートタンク２の摺接円軌道には、好ましくは、図１、図２のように、該円軌道を平坦にするガイドプレート１５を設置する。
【０１７】
【効果】
本発明は、ビートタンクの外面に摺接するコンベアフレームの先端部に回転部材を固定し、ビートタンク外面に沿って転動するようにしたことにより、ビートタンクの上下回動が滑らかになる。特に、ビートタンクを下方へ回動する際の干渉がなくなることにより、トラブルの発生がなくなり、作業能率が向上する。
【０１８】
回転部材と接触するビートタンクの回転部材転動面をガイドプレートで平坦にしたことにより、回転部材の転動が滑らかになり、耐久性が増す。
【図面の簡単な説明】
【図１】本発明によるビートハーベスタの要部を示す動作説明図
【図２】図１の要部拡大図
【図３】ビートハーベスタの全体構成図
【符号の説明】
１…ビートハーベスタ
２…ビートタンク
３…掘り取り機
４…ロッドコンベア
５…回転揚送機
６…投入コンベア
７…上部開放口
８…コンベアフレーム
９、１１…軸支部
１０…機台縦枠
１２…油圧シリンダ
１３…タンクフレーム
１４…回転部材
１５…ガイドプレート
【整理番号】ＰＡＳ００２―００９
【図１】
0003586264.tif 000002
【図２】
0003586264.tif 000003
【図３】
0003586264.tif 000004